(57)【要約】【課題】同じ足場ボルトの位置に、複数の作業者の足を載せることができるようにする。【解決手段】延長具は、足場ボルト１の長さよりも長く、かつ、内部に足場ボルト１を挿入可能な筒状の延長具本体２と、足場ボルト１から延長具本体２が外れないように該延長具本体２を足場ボルト１に掛止する掛止手段３とを備える。【選択図】図１
2010142070.tif 000002
【特許請求の範囲】
【請求項１】
電柱等の構造物に設けられる足場ボルトを延長するために該足場ボルトに取り付けられる足場ボルトの延長具であって、
足場ボルトの長さよりも長く、かつ、内部に足場ボルトを挿入可能な筒状の延長具本体と、足場ボルトから延長具本体が外れないように該延長具本体を足場ボルトに掛止する掛止手段とを備えることを特徴とする足場ボルトの延長具。
【請求項２】
前記延長具本体には、前記構造物上で使用される作業用具を掛止する掛止部が設けられる請求項１に記載の足場ボルトの延長具。
【発明の詳細な説明】
【技術分野】
【０００１】
本発明は、電柱等の構造物に設けられる足場ボルトの長さ延長するために用いられる延長具に関する。
【背景技術】
【０００２】
通常、電柱等の構造物には、作業者が作業を行うための足場としての足場ボルトが設けられている。電柱には、その長手方向に間隔をおいて複数の足場ボルトが設けられ、作業者がこの電柱を昇降できるようになっている（例えば特許文献１参照）。
【特許文献１】特開２００１−２５１４３号公報
【発明の開示】
【発明が解決しようとする課題】
【０００３】
例えば、電柱に複数の作業者が昇って作業を行う場合がある。この際、作業の内容によっては、各作業者が接近した状態で作業をしなければならない。
【０００４】
しかしながら、従来の足場ボルトは、作業者一人が作業できる長さにしか設定されておらず、複数の作業者が同じ足場ボルトに足を載せて作業を行うことができなかった。
【０００５】
本発明はこのような事情に鑑みてなされたものであり、複数の作業者が足を載せることができるように、足場ボルトを延長できるようにした足場ボルトの延長具を提供することを課題とする。
【課題を解決するための手段】
【０００６】
本発明は、上記の課題を解決するために以下の技術的手段を講じた。
【０００７】
すなわち、本発明は、電柱等の構造物に設けられる足場ボルトを延長するために該足場ボルトに取り付けられる足場ボルトの延長具であって、足場ボルトの長さよりも長く、かつ、内部に足場ボルトを挿入可能な筒状の延長具本体と、足場ボルトから延長具本体が外れないように該延長具本体を足場ボルトに掛止する掛止手段とを備えることを特徴とする。
【０００８】
かかる構成によれば、足場ボルトよりも長さの長い延長具本体を足場ボルトに取り付けることによって、複数の作業者の足をこの延長具本体に載せて作業を行うことができる。しかも、延長具本体に掛止手段が設けられているので、延長具本体が足場ボルトから外れることがなく、作業を確実に行うことができる。
【０００９】
また、本発明は、前記延長具本体に、前記構造物上で使用される作業用具を掛止する掛止部が設けられる構成を採用できる。
【００１０】
かかる構成によれば、延長具本体に掛止部を設けることにより、例えば、工具や工具を収納する作業袋等の作業用具を延長具本体に掛けて保持させながら作業を行うことができるため、この点に非常に便利である。また、延長具本体は、足場ボルトよりも長く構成されているので、より多くの作業用具を延長具本体に掛けることができるようになる。
【発明の効果】
【００１１】
本発明によれば、同じ足場ボルトの位置に、複数の作業者の足を載せることができるようになる。
【発明を実施するための最良の形態】
【００１２】
以下、本発明を実施するための最良の形態について、図面を参照しながら説明する。
【００１３】
図１、図２は、本発明に係る足場ボルトの延長具（以下、単に「延長具」という）の第１実施形態を示している。図１に示すように、延長具は、足場ボルト１を挿入可能な延長具本体２と、この延長具本体２が足場ボルト１から外れないように掛止する掛止手段３とを有する。
【００１４】
延長具本体２に挿入される足場ボルト１（六角ボルト）は、例えば、その一端部に六角柱状の頭部５が設けられ、他端部に、電柱４に形成されたねじ穴に嵌め込まれるように、雄ねじ６が形成されている。この雄ねじ６には、ナット（六角ナット）７が嵌め込まれており、足場ボルト１は、他端部が電柱４に嵌め込まれるとともに、このナット７を締め付けることにより、電柱４から抜けはずれないように固定されている。
【００１５】
延長具本体２の長さは、少なくとも２人の作業者が片足ずつこの延長具本体２に載せることができるように、足場ボルト１の長さよりも長くなっている。本実施形態では、延長具本体２の長さは、足場ボルト１の長さの約２倍程度に設定されている。
【００１６】
延長具本体２は、円筒状に構成されており、その両端部２ａ，２ｂが開口状となっている。延長具本体２は、その一端部２ａから足場ボルト１を挿入することができるようになっている。また、延長具本体２の他端部２ｂには、その半径方向外方に突出する突起部８が、延長具本体２の全周にわたって環状に形成されている。この突起部８は、作業者が延長具本体２に足を載せたとき（延長具本体２を踏んだときに）に、作業者の足（靴）が、延長具本体２の端部２ｂから落ちないように掛止する掛止部となっている。また、この突起部８は、この延長具本体２に、電柱上で使用される作業用具（工具や工具を収納する作業袋等をいう）の係止紐部を掛けたときに、この作業用具が、延長具本体２の端部２ｂから抜け落ちないように掛止する掛止部としても機能する。
【００１７】
延長具本体２の中途部には、前記掛止手段３が設けられている。延長具本体２の中途部には、掛止手段３を取り付けるための開口部９，９が延長具本体２の側壁を内外に貫通して形成されている。この開口部９，９は、図２に示すように、平面視で長方形状に形成されている。延長具本体２には、複数（図例では２つ）の掛止手段３（３ａ，３ｂ）が設けられている。
【００１８】
延長具本体２の内径は、足場ボルト１の頭部５及びナット７が延長具本体２の内面に接する程度の大きさに設定されている。延長具本体２は、足場ボルト１の頭部５、およびナット７を内部に挿入したときに、その内面が足場ボルト１の頭部５、ナット７に接することにより、作業者の足が載せられたときにぐらつかないように足場ボルト１に取り付けられる。
【００１９】
前記各掛止手段３（３ａ，３ｂ）は、延長具本体２を足場ボルト１に掛止する掛止部材１３（１３ａ，１３ｂ）と、各掛止部材１３（１３ａ，１３ｂ）を所定方向に付勢する付勢部材１５とを有する。以下、２つの掛止手段３ａ，３ｂの一方を第１掛止手段３ａといい、他方を第２掛止手段３ｂという。また、第１掛止手段３ａの掛止部材を第１掛止部材１３ａといい、第２掛止手段３ｂの掛止部材を第２掛止部材１３ｂという。なお、本実施形態では、１つの付勢部材１５によって、第１掛止部材１３ａ、第２掛止部材１３ｂを所定の方向に付勢するようになっている。
【００２０】
第１掛止手段３ａと第２掛止手段３ｂは、延長具本体２の半径方向において互いに対向するように設けられている。より具体的には、延長具本体２の各開口部９，９が、この延長具本体２の半径方向において一致するように貫通形成され、第１掛止部材１３ａと第２掛止部材１３ｂが延長具本体２の半径方向において対向するように各開口部９，９に設けられている。
【００２１】
各掛止部材１３ａ，１３ｂは、図１に示すように、延長具本体２の側壁部に貫通形成された開口部９，９に取り付けられている。具体的には、各掛止部材１３ａ，１３ｂは、開口部９，９の長辺に対応する壁面９ａ，９ａに枢支軸２１（２１ａ，２１ｂ）を介して回転可能に取り付けられている（以下、第１掛止部材１３ａの枢支軸を「第１枢支軸」２１ａといい、第２掛止部材１３ｂの枢支軸を「第２枢支軸」２１ｂという）。各枢支軸２１ａ，２１ｂは、平面視長方形状に形成された開口部９，９において、その２つの長辺に対応する互いに対向する壁面９ａ，９ａ間に架け渡されることで、各掛止部材１３ａ，１３ｂを枢支している。
【００２２】
各掛止部材１３ａ，１３ｂは、図１に示すように、長尺状の板部材とされ、その一端部が足場ボルト１を頭部５に延長具本体２を掛止できるような鉤状（フック状）に構成されている（以下、第１掛止部材１３ａの鉤状の端部を「第１掛止部」２２ａといい、第２掛止部材１３ｂの鉤状の端部を「第２掛止部」２２ｂという）。また、各掛止部材１３ａ，１３ｂは、その中途部が各枢支軸２１ａ，２１ｂに連結されており、枢支軸２１ａ，２１ｂから他端部までの部分が掛止部材１３ａ，１３ｂを操作するための操作部２３（以下、第１掛止部材１３ａの操作部を「第１操作部」２３ａといい、第２掛止部材１３ｂの操作部を「第２操作部」２３ｂという）となっている。
【００２３】
図１に示すように、各掛止部２２ａ，２２ｂは、足場ボルト１の頭部５に接触して、延長具本体２を足場ボルト１に対して掛止する掛止面２４（以下、第１掛止部２２ａの掛止面を「第１掛止面」２４ａといい、第２掛止部２２ｂの掛止面を「第２掛止面」２４ｂという）を有する。
【００２４】
各操作部２３ａ，２３ｂは、各掛止部材１３ａ，１３ｂによる延長具本体２の掛止を解除するためのものである。各操作部２３ａ，２３ｂには、作業者によって押圧される押圧部２５（以下、第１操作部２３ａの押圧部を「第１押圧部」２５ａといい、第２操作部２３ｂの押圧部を「第２押圧部」２５ｂという）が設けられている。各押圧部２５（２５ａ，２５ｂ）が押圧されると、掛止部材による延長具本体２の足場ボルト１への掛止を解除することができるようになっている。
【００２５】
本実施形態において、前記付勢部材１５として、コイルバネが用いられる。コイルバネは、その一端部が第１掛止部材１３ａの第１操作部２３ａ側の端部に連結され、その他端部が、第２掛止部材１３ｂの第２操作部２３ｂ側の端部に連結されている。
【００２６】
このコイルバネは、各掛止部材１３ａ，１３ｂの各操作部２３ａ，２３ｂを、延長具本体２の半径方向外方に押し広げるように付勢している。換言すれば、このコイルバネは、第１掛止部材１３ａを図１において反時計回りに回動するように付勢し、さらに、第２掛止部材１３ｂを図１において時計回りに回動するように付勢している。
【００２７】
以下、上記構成の延長具の使用方法について説明する。
【００２８】
足場ボルト１に延長具を取り付けるには、まず、各掛止手段３の各押圧部２５ａ，２５ｂを押圧しておく。このとき、第１掛止部材１３ａは、第１押圧部２５ａが押圧されることによって、図１において時計回りに回動し、これによって第１掛止部２２ａが、延長具本体２の半径方向外方に向かって移動する。また、第２掛止部材１３ｂは、第２押圧部２５ｂが押圧されることによって、図１において反時計回りに回動し、これによって、第２掛止部２２ｂが、延長具本体２の半径方向外方（但し、第１掛止部２２ａの移動方向とは逆の方向）に向かって移動する。
【００２９】
このように、第１押圧部２５ａ及び第２押圧部２５ｂが押圧されると、第１掛止部材１３ａの第１掛止部２２ａと、第２掛止部材１３ｂの第２掛止部２２ｂとは、互いに離れるように移動する。このように、第１掛止部２２ａ及び第２掛止部２２ｂが移動したとき、第１掛止部２２ａと第２掛止部２２ｂとの間隔は、足場ボルト１の頭部５の外径よりも大きくなっている。
【００３０】
次に、延長具本体２の一端部２ａの開口に、足場ボルト１を挿入する。そして、延長具本体２の一端部２ａが電柱４に当接するまで、延長具本体２内に足場ボルト１を押し込む。延長具本体２の一端部２ａが電柱４に当接したとき、この延長具本体２には、足場ボルト１の基部に位置するナット７が挿入された状態となっている。このように延長具本体２に足場ボルト１を挿入すると、この足場ボルト１の頭部５及び、足場ボルト１の雄ねじ６に嵌められたナット７が延長具本体２の内面に当接した状態となる。
【００３１】
次に、第１掛止部材１３ａ（第１操作部２３ａ）の第１押圧部２５ａ及び第２掛止部材１３ｂ（第２操作部２３ｂ）の第２押圧部２５ｂの押圧を解除する。そうすると、第１掛止部材１３ａは、コイルバネの付勢力によって、図１における反時計回りに、回動する。そして、第２掛止部材１３ｂは、コイルバネの付勢力によって、図１における時計回りに回動する。第１掛止部材１３ａ、及び第２掛止部材１３ｂの回動により、第１掛止部２２ａと第２掛止部２２ｂとが互いに接近するように移動する。
【００３２】
そして、第１掛止部２２ａの第１掛止面２４ａ、第２掛止部２２ｂの第２掛止面２４ｂが、足場ボルト１の頭部５の裏面５ａに当接し、これによって、延長具本体２の足場ボルト１への取り付けが完了する。このように、第１掛止面２４ａと第２掛止面２４ｂとが足場ボルト１の頭部５の裏面５ａに当接することで、延長具本体２は、足場ボルト１から抜けはずれないように掛止される。
【００３３】
延長具を足場ボルト１から取り外すには、第１掛止部材１３ａの第１押圧部２５ａ、第２掛止部材１３ｂの大２押圧部を押圧して、第１掛止部材１３ａを時計回り（図１）に回動させ、第２掛止部材１３ｂを反時計回り（図１）に回動させることにより、第１掛止部２２ａと第２掛止部２２ｂとを互いに離れるように移動させ、各掛止部２２ａ，２２ｂによる掛止を解除させる。そして、延長具本体２を引いて足場ボルト１から取り外す。
【００３４】
以上説明した延長具によれば、足場ボルト１よりも長さの長い延長具本体２を足場ボルト１に取り付けることによって、この延長具本体２に、２人以上の作業者が足を載せて作業を行うことが可能になる。しかも、延長具本体２に掛止手段３を設けることによって、作業中に延長具が足場ボルト１から外れるということもなく、確実な作業を行うことができる。
【００３５】
さらに、延長具本体２の端部に、掛止部（突起部８）を形成することによって、作業者の足が延長具本体２の端部２ｂからずれ落ちないようにできる。さらに、延長具本体２に作業用具を吊り下げたときであっても、掛止部（突起部８）によって、この作業用具が落ちないようにすることができる。
【００３６】
さらに、掛止手段３は、各操作部２３ａ，２３ｂを操作する（各押圧部２５ａ，２５ｂを押圧する）だけで、延長具本体２を足場ボルト１に対して、掛止・掛止解除できることから、延長具の足場ボルト１への取り付け・取り外しを容易に行うことができるようになる。
【００３７】
また、延長具本体２には、２つの掛止手段３ａ，３ｂが延長具本体２の半径方向において対向するように設けられていることから、掛止手段３ａ，３ｂの２つの押圧部２５ａ，２５ｂが同時に押圧されて掛止手段３による掛止が解除されるということもない。
【００３８】
図３、図４は、本発明に係る延長具の第２実施形態を示している。
【００３９】
第２実施形態に係る延長具は、第１実施形態と同様な構成の延長具本体２を有する。この延長具本体２には、１つの掛止手段３が設けられている。掛止手段３は、第１実施形態と同様な掛止部材１３と、付勢部材１５とを有する。
【００４０】
延長具本体２には、第１実施形態と同様に、掛止部材１３を取り付けるための平面視長方形状の１つの開口部９が形成されている。前記掛止部材１３は、第１実施形態と同様に、鉤状の掛止部２２と、操作部２３とを有し、その中途部がこの開口部９の壁面９ａ，９ａ間に架け渡された枢支軸２１に枢支されている。なお、本実施形態では、第１実施形態で示した押圧部が掛止部材１３に設けられておらず、この点が異なる。
【００４１】
掛止部材１３の掛止部２２は、第１実施形態と同様に、足場ボルト１の頭部５の裏面５ａに当接する掛止面２４を有する。この掛止部２２は、足場ボルト１の頭部５に当接するとともに、掛止部材１３が所定の動きをするように案内する案内面３１をさらに有する。案内面３１は、掛止部材１３の長手方向に対して所定の角度で傾斜する傾斜面である。
【００４２】
付勢部材１５には、第１実施形態と同様にコイルバネが用いられている。コイルバネは、その一端部が第１掛止部材１３ａの操作部２３に連結され、その他端部が、延長具本体２の内面に固着されている。コイルバネは、掛止部材１３の操作部２３を延長具本体２の半径方向外方に向かって付勢している。
【００４３】
延長具本体２には、掛止部材１３の位置を規制する規制手段３２が設けられている。この規制手段３２は、開口部９の長手方向における一端部の壁面９ｂから、開口部９の長手方向の他端部に向かって突出する突起部（突出部）である。この規制手段３２は、開口部９の長手方向の一端部を薄肉状に形成することによって構成されても良い。
【００４４】
この規制手段３２としての突起部は、掛止部材１３の操作部２３の一側面（図３における上面）に当接することによって、付勢部材１５に付勢される掛止部材１３の操作部２３が延長具本体２の外側に出ないように、掛止部材１３を規制している。
【００４５】
また、規制手段３２としての突起部は、延長具本体２に足場ボルト１が挿入されたときに、掛止部２２の案内面３１の中途部に、足場ボルト１の頭部５が当接するように、この掛止部２２の位置を規制している。
【００４６】
以下、図４を参照しながら、第２実施形態に係る延長具の使用方法を説明する。
【００４７】
まず、第１実施形態と同様に、延長具本体２の一端部の開口から足場ボルト１の頭部５を挿入する。この状態から延長具本体２を足場ボルト１の基部側に押し付けるように移動させると、足場ボルト１の頭部５がさらに延長具本体２の他端部側へと進入していき、掛止手段３の掛止部材１３（掛止部２２）に足場ボルト１へと接近する。
【００４８】
さらに延長具本体２を押して足場ボルト１を延長具本体２内に挿入していくと、図４（ａ）に示すように、足場ボルト１の頭部５が、掛止部材１３における掛止部２２の案内面３１に当接する。この状態からさらに延長具本体２を押すと、掛止部材１３は、足場ボルト１の頭部５が、掛止部２２の案内面３１に当接した状態で、さらに延長具本体２の奥（他端部側）へと移動する。この移動により、案内面３１の傾斜の度合いに応じてこの掛止部２２が足場ボルト１の頭部５によって押し退けられ、延長具本体２の半径方向外方側へと移動する。
【００４９】
さらに延長具本体２を押すと、足場ボルト１の頭部５が、掛止部２２の案内面３１を越えて延長具本体２の奥まで進入する。このとき、掛止部２２は、コイルバネの付勢力により、延長具本体２の半径方向内方に向かって付勢されているため、その先端が、図４（ｂ）に示すように、足場ボルト１の頭部５の側面に当接した状態となる。
【００５０】
この状態からさらに延長具本体２を押して、足場ボルト１の頭部５が掛止部２２の先端部を越えたとき、図４（ｃ）に示すように、掛止部２２は、コイルバネの付勢力によって、その先端部が、足場ボルト１の頭部５の裏面５ａ側に回り込み、掛止部２２の掛止面２４が頭部５の裏面５ａに当接可能な状態になり、これによって延長具の足場ボルト１への取り付けが完了する。
【００５１】
延長具を足場ボルト１から取り外すには、開口部９に指を入れ、操作部２３を押すことで、掛止部材１３を図３において時計回りに回動させ、掛止部２２を延長具本体２の半径方向外方に移動させることにより、その掛止を解除して、延長具を引いて、足場ボルト１から抜き取るようにする。
【００５２】
上記構成の第２実施形態に係る延長具によれば、掛止部材１３の操作部２３が、延長具本体２の外側に出ないように規制手段３２によって規制されるので、作業者が延長具本体２に足を載せたときに、掛止部材１３が踏まれることがない。これによって、延長具は、操作部２３を操作することで、掛止部２２の掛止を解除しない限り、足場ボルト１から外れることがなく、確実に足場ボルト１に固定されることとなる。
【００５３】
しかも、規制手段３２が、掛止部２２の案内面３１の中途部に足場ボルト１の頭部５が当接するように掛止部材１３を規制することから、第１実施形態のように、操作部２３の押圧部を押して、２つの掛止部材１３ａ，１３ｂの掛止部２２を所定間隔離した状態を維持しながら、延長具本体２を足場ボルト１に取り付けるということをすることもなく、延長具本体２を足場ボルト１の基部側に押し付けるだけで容易にその取り付けを行うことができるようになる。
【００５４】
第２実施形態のその他の構成については、第１実施形態と同様であり、第２実施形態が第１実施形態と共通する部分には、共通符号を付して、説明を割愛する。第２実施形態においても第１実施形態と同様の作用効果を奏する。
【００５５】
図５は、本発明に係る延長具の第３実施形態を示している。
【００５６】
この第３実施形態に係る延長具は、上記の実施形態と同様に、延長具本体２と掛止手段３とを有する。第３実施形態に係る掛止手段３は、掛止部材１３と付勢部材１５を有するが、これらの構成が上記の実施形態と異なる。
【００５７】
掛止部材１３は、長尺状の板部材により構成され、その一端部に鉤状の掛止部２２を有する。掛止部材１３の他端部は、延長具本体２に形成された長方形状の開口部９の対向する壁面９ａ，９ａ間に架け渡された枢支軸２１に枢支されている。
【００５８】
付勢部材１５には、コイルバネが採用されている。コイルバネの一端部は、掛止部材１３の中途部、すなわち、掛止部材１３の掛止部２２と、前記枢支軸２１との間の位置に連結されている。コイルバネの他端部は、延長具本体２の内面において、この掛止部材１３に対向する位置に固着されている。この実施形態では、コイルバネは、掛止部材１３を延長具本体２の半径方向内方に向けて引っ張るように付勢している。
【００５９】
掛止部材１３には、この掛止部材１３を操作する操作部２３が設けられている。この操作部２３は、掛止部材１３の一側面から突出する突起部となっている。この操作部２３は、図５に示すように、側面視において、中途部が曲げられた鉤状とされている。この操作部２３は、作業者が指を掛けて引っ張ることにより、掛止部材１３が所定の動作をするように操作することができる。
【００６０】
第３実施形態では、第２実施形態と同様に延長具本体２に規制手段３２が設けられているが、その構成が第２実施形態と異なる。規制手段３２は、延長具本体２に形成された長方形状の開口部９の長辺に対応する壁面９ａ，９ａ間に架け渡されるように、延長具本体２に一体に形成された板状部である。
【００６１】
規制手段３２（板状部）は、掛止部材１３が、付勢部材１５の付勢力によって延長具本体２の内部に入り込み過ぎないようにその位置を規制している。さらに、規制手段３２は、掛止部材１３の掛止部２２の案内面３１の中途部に、足場ボルト１の頭部５が当接するように、この掛止部材１３の位置を規制している。
【００６２】
第３実施形態に係る延長具は、第２実施形態と同様に、延長具本体２の一端部の開口部９から足場ボルト１の頭部５を挿入し、延長具本体２を足場ボルト１の基部側（ナット７が設けられている部分）に押し付けるだけで、足場ボルト１への取り付けができるようになっている。
【００６３】
すなわち、第３実施形態に係る延長具は、第２実施形態と同様に、上述した図４（ａ）〜（ｃ）と同様な手順を経て、自動的に掛止部材１３による掛止が行われるようになっている。
【００６４】
この延長具を足場ボルト１から取り外すには、掛止部材１３の操作部２３に指を掛け、掛止部２２が足場ボルト１の頭部５から離れるように（図５において掛止部材１３が枢支軸２１を中心に時計回りに回動するように）引っ張るようにする。
【００６５】
第３実施形態に係る延長具によれば、第２実施形態と同様に、延長具本体２に掛止部材１３を規制する規制手段３２が設けられることにより、延長具本体２を容易に足場ボルト１に取り付けることが可能になる。
【００６６】
さらに、延長具は、操作部２３を引っ張ることによって掛止部材１３の掛止を解除するように構成されていることから、延長具本体２に作業者の足が載せられて、操作部２３が踏まれた場合であっても、掛止部２２の掛止が解除されることがなく、したがって、延長具本体２を足場ボルト１に確実に固定できるようになる。
【００６７】
第３実施形態のその他の構成については、第１、第２実施形態と同様であり、第３実施形態が第１実施形態と共通する部分には、共通符号を付して、説明を割愛する。第３実施形態においても第１、第２実施形態と同様の作用効果を奏する。
【００６８】
なお、本発明は、上記の実施形態に限らず、種々の変形・変更が可能である。
【００６９】
例えば、上記実施形態では、延長具本体２の長さが、足場ボルト１の長さの約２倍程度とされた例を示したが、これに限らず、少なくとも２人の作業者の片足を載せることができれば、延長具本体２の長さを、足場ボルト１の２倍の長さよりも短くしてもよく、また３人以上の作業者の足を乗せることができるように、足場ボルト１の２倍の長さよりも長くしてもよい。
【００７０】
上記実施形態では、付勢部材１５として、コイルバネを用いた例を示したが、これに限らず、板バネ等のバネ部材、油圧シリンダその他の種々の付勢部材１５を本発明に適用することができる。
【００７１】
上記実施形態では、電柱４に取り付けられた足場ボルト１に延長具を取り付けて使用する例を示したが、これに限らず、鉄塔、建築物（壁面）その他の構造物のように、足場ボルト１を取り付けることができるものであれば、本発明を適用可能である。また、本発明は、電柱４のように、常時構造物に取り付けられている足場ボルト１に限らず、作業を行う際にのみ構造物に取り付けられるような足場ボルト１にも適用できる。
【００７２】
上記第１実施形態では、延長具本体２に２つの掛止手段３が設けられている例を示したが、これに限らず、延長具本体２の周方向（円周方向）に間隔をおいて３つ以上の掛止手段３を設けるようにしてもよい。
【００７３】
また、上記実施形態では、延長具本体２が円筒状に構成された例を示したが、これに限らず、足場ボルト１を内部に挿入したときに、その内面が、足場ボルト１の頭部５に当接するように構成されていれば、どのような外形形状のものも本発明に適用可能である。
【図面の簡単な説明】
【００７４】
【図１】延長具の第１実施形態を示し、図２におけるＡ−Ａ矢視線断面図である。
【図２】延長具の平面図である。
【図３】延長具の第２実施形態を示す断面図である。
【図４】延長具を足場ボルトに取り付ける際の作用を説明する断面図である。
【図５】延長具の第３実施形態を示す断面図である。
【符号の説明】
【００７５】
１…足場ボルト、２…延長具本体、３…掛止手段、４…電柱、５…ボルトの頭部、５ａ…ボルトの頭部の裏面、６…雄ねじ、７…ナット、８…突起部、９…開口部、９ａ…開口部の壁面、９ｂ…開口部の壁面、１３（１３ａ，１３ｂ）…掛止部材（第１掛止部材，第２掛止部材）、１５…付勢部材、２１（２１ａ，２１ｂ）…枢支軸（第１枢支軸，第２枢支軸）、２２（２２ａ，２２ｂ）…掛止部（第１掛止部，第２掛止部）、２３（２３ａ，２３ｂ）…操作部（第１操作部，第２操作部）、２４（２４ａ，２４ｂ）…掛止面（第１掛止面，第２掛止面）、２５（２５ａ，２５ｂ）…押圧部（第１押圧部，第２押圧部）、３１…案内面、３２…規制手段
【図１】
2010142070.tif 000003
【図２】
2010142070.tif 000004
【図３】
2010142070.tif 000005
【図４】
2010142070.tif 000006
【図５】
2010142070.tif 000007